(57)【要約】【課題】高速連写によって得られた一連の画像の中から、簡単且つ迅速にベストショットを探し出すことができる画像表示装置を提供すること。【解決手段】連写モードで記録された画像が再生される際に、まず最新画像が液晶モニタ２２２に表示される（ステップＳ１０１）。ユーザによってボタン操作がなされ、次の画像が表示されるのに先立って、現在液晶モニタ２２２に表示されている画像と、表示のために新たに読み出された画像との一致度が判定される（ステップＳ１３１、ステップＳ１４１）。これらの判定において、一致度が低い画像のみが液晶モニタ２２２に表示される。【選択図】図８
2006217510.tif 000002
【特許請求の範囲】
【請求項１】
連続撮影モードで撮影された複数の画像を記憶する記憶手段と、
上記記憶手段に記憶されている画像を読み出すための読出手段と、
上記読出手段で読み出された画像を表示するための表示手段と、
上記表示手段に表示中の画像と上記読出手段で新たに読み出された画像とを比較し、両画像の一致度が低い場合に、上記表示手段に表示中の画像に代わって上記読出手段で新たに読み出された画像を上記表示手段に表示させるように制御する表示制御手段と、
を具備することを特徴とする画像表示装置。
【請求項２】
上記表示制御手段は、
上記表示手段に表示中の画像と上記読出手段で新たに読み出された画像の差が所定以上あるか否かを判定することにより上記両画像の一致度を判定する判定手段と、
上記判定手段の判定結果に基づいて上記表示手段に次に表示させる画像を選定する選定手段と、
を含むことを特徴とする請求項１に記載の画像表示装置。
【請求項３】
上記判定手段は、上記表示手段に表示中の画像と上記読出手段で新たに読み出された画像のそれぞれ対応する所定領域についての画像の差を判定することを特徴とする請求項２に記載の画像表示装置。
【請求項４】
上記所定領域は、主要被写体が存在する確率の高い領域を含むことを特徴とする請求項３に記載の画像表示装置。
【請求項５】
上記所定領域は、中央部周辺の領域を含むことを特徴とする請求項３に記載の画像表示装置。
【請求項６】
上記判定手段は、上記表示手段に表示中の画像と上記読出手段で新たに読み出された画像の不一致画素を検出し、この不一致画素が占める割合によって上記画像の差を判定することを特徴とする請求項２に記載の画像表示装置。
【請求項７】
上記判定手段は、上記表示手段に表示中の画像と上記読出手段で新たに読み出された画像の画素毎の差を演算し、その演算結果がゼロにならない画素を検出することにより、上記不一致画素を検出することを特徴とする請求項６に記載の画像表示装置。
【請求項８】
上記画像の画素毎の差は、上記画素毎の輝度値の差であることを特徴とする請求項７に記載の画像表示装置。
【請求項９】
上記画像表示装置は、デジタルカメラに内蔵されていることを特徴とする請求項１乃至８の何れか１つに記載の画像表示装置。
【発明の詳細な説明】
【技術分野】
【０００１】
本発明は、画像表示装置に関し、特にデジタルカメラなどを用いた連続撮影によって得られた画像を表示する画像表示装置に関する。
【背景技術】
【０００２】
近年のデジタルカメラでは、撮影時の動作モードとして単写モードと連写モードとを備えているものが多い。単写モードは、ユーザによるレリーズボタンの押操作に応答して１フレームの画像の撮影が行われる動作モードである。一方、連写モードは、ユーザがレリーズボタンを押操作している間、撮影動作が繰り返され、これによって複数フレームの画像の撮影が行われる動作モードである。ここで、連写モードにおける連写速度は、将来的には１秒間に数１０フレームに達することが予想されている。このような超高速の連写モードで撮影を行うと、１回の連続撮影で数１０フレーム分の画像ファイルが記録媒体に記録されることになる。
【０００３】
ところで、連写モードで撮影する最大の理由は、ベストショットを確実に得るためである。したがって、連写後には、連写によって得られた一連の画像の中から、ベストショットの画像を簡単且つ迅速に探し出せることが重要である。このようなベストショットの画像を探す手法としては、画像選択用のボタンを操作して液晶モニタなどに１枚ずつ画像を表示させながら確認する手法が一般的である。しかし、このような手法では、連写によって撮影された画像の枚数が多くなると確認作業が煩雑になるおそれがある。
【０００４】
そこで、例えば特許文献１や特許文献２などのような手法が提案されている。特許文献１などでは、連写によって撮影された画像を縮小して複数同時に表示させる（マルチインデックス表示）ようにしている。また、特許文献２では、最初の選択操作では代表画像（１枚又は複数枚）だけを表示させるようにしている。また、この他にも、連写によって撮影された画像を１つの動画像として表示させるような手法もある。
【特許文献１】特開平１０−３０４３０１号公報
【特許文献２】特開２００１−２８５７７９号公報
【発明の開示】
【発明が解決しようとする課題】
【０００５】
ここで、特許文献１において提案されているマルチインデックス表示の場合、画像が縮小表示されているので画像の細部を確認し難い。また、特許文献２において提案されている代表画像を表示させる手法はベストショットを含む画像のグループを探すのには適しているが、ベストショットの画像を探すためには、グループの中で１枚ずつ画像を確認する必要があるため、余り効率が良くない。更に、連続撮影によって得られた画像を動画像として表示する手法は、画像の枚数が多くなると再生に時間がかかり、これに伴って画像の確認にも時間がかかってしまう。
【０００６】
本発明は、上記の事情に鑑みてなされたもので、高速連写によって得られた一連の画像の中から、簡単且つ迅速にベストショットを探し出すことができる画像表示装置を提供することを目的とする。
【課題を解決するための手段】
【０００７】
上記の目的を達成するために、本発明の第１の態様による画像表示装置は、連続撮影モードで撮影された複数の画像を記憶する記憶手段と、上記記憶手段に記憶されている画像を読み出すための読出手段と、上記読出手段で読み出された画像を表示するための表示手段と、上記表示手段に表示中の画像と上記読出手段で新たに読み出された画像とを比較し、両画像の一致度が低い場合に、上記表示手段に表示中の画像に代わって上記読出手段で新たに読み出された画像を上記表示手段に表示させるように制御する表示制御手段とを具備することを特徴とする。
【０００８】
この第１の態様によれば、表示手段に表示されている画像と記憶手段から新たに読み出された画像とが比較され、両画像に所定以上の差がある場合にのみ、表示手段に表示される画像が変更される。したがって、ベストショットを探すのに不必要な画像が表示手段に表示されないため、簡単且つ迅速にベストショットを探し出すことができる。
【発明の効果】
【０００９】
本発明によれば、高速連写によって得られた一連の画像の中から、簡単且つ迅速にベストショットを探し出すことができる画像表示装置を提供することができる。
【発明を実施するための最良の形態】
【００１０】
以下、図面を参照して本発明の実施形態を説明する。  
図１は、本発明の一実施形態に係る画像表示装置が内蔵されたデジタルカメラ（以下、単にカメラと称する）の構成を示すために、デジタルカメラ本体の一部を切断してその内部構成を概略的に示した斜視図である。ここで、例として、図１のカメラ１は、一眼レフレックス方式のカメラを示している。
【００１１】
図１に示すように、カメラ１は、レンズ鏡筒１００とカメラ本体２００とから構成されている。
【００１２】
レンズ鏡筒１００内部には、複数の光学レンズから構成される撮影光学系１０２が配設されている。この撮影光学系１０２は、後述するレンズ駆動機構により光軸方向に移動自在に構成されており、図示しない被写体からの光束をカメラ本体２００の内部方向に透過させる。
【００１３】
カメラ本体２００の前面側の略中央部には、撮影光学系１０２を透過した光束を当該カメラ本体２００の内部に導くための所定の口径を有する露光用開口が形成されている。この露光用開口の周縁部には撮影光学系装着部２００ａが形成されており、この撮影光学系装着部２００ａを介してレンズ鏡筒１００は、カメラ本体２００に着脱自在になっている。ここで、カメラ本体２００には、撮影時の用途に応じた種々のレンズ鏡筒１００を装着できるようになっている。
【００１４】
更に、カメラ本体２００の内部には、ファインダ装置２０２、シャッタ部２０８、撮像ユニット２１１、回路基板２００ｂなどの種々の構成部材がそれぞれ所定の位置に配設されている。
【００１５】
ファインダ装置２０２は、クイックリターンミラー（以下、メインミラーと称する）２０２ａと、フォーカシングスクリーン２０２ｂと、ペンタプリズム２０２ｃと、接眼レンズ２０２ｄとから構成されている。
【００１６】
メインミラー２０２ａは、光入射面がハーフミラーになっており、撮影光学系１０２の光軸上の位置（図１に示す位置  以下、ダウン位置と称する）と光軸から退避する位置（以下、アップ位置と称する）との間で移動自在に構成されている。通常状態において、メインミラー２０２ａは、撮影光学系１０２の光軸から所定の角度、例えば角度４５度を有して配置されるようになっている。このような構成により、カメラ１が通常状態にあるときには、撮影光学系１０２を透過した光束の一部がメインミラー２０２ａで反射され、一部がメインミラー２０２ａを透過するようになっている。ここで、メインミラー２０２ａの裏面には、サブミラー２０３が設置されており、メインミラー２０２ａを透過した光束は、後述するＡＦセンサユニットに入射する。
【００１７】
また、メインミラー２０２ａで反射された光束はフォーカシングスクリーン２０２ｂに結像される。フォーカシングスクリーン２０２ｂに結像された像は、ペンタプリズム２０２ｃにおいて反転されて正立像になる。ペンタプリズム２０２ｃにおいて形成された像は、接眼レンズ２０２ｄにおいて拡大される。このような構成により、ユーザが被写体の像を目視確認することが可能である。
【００１８】
一方、カメラ１が撮影動作状態にあるときには、メインミラー２０２ａが撮影光学系１０２の光軸から退避する所定のアップ位置に移動される。このとき、撮影光学系１０２を透過した被写体からの光束は、シャッタ部２０８を介して撮像ユニット２１１に入射する。シャッタ部２０８は、例えばフォーカルプレーン式のシャッタ機構などから構成されている。また、シャッタ部２０８は、後述するシャッタ制御回路によって開閉可能に構成され、シャッタ部２０８の開閉時間が制御されることによって、シャッタ部２０８の後方に配設された撮像ユニット２１１の露光時間等が制御される。
【００１９】
また、撮像ユニット２１１は、防塵フィルタ（防塵ガラスともいう）２１３と撮像素子２１２などから構成されている。防塵フィルタ２１３は撮像素子２１２の前面側に配設されており、この防塵フィルタ２１３によって、撮像素子２１２の光電変換面に塵埃が付着するのが防止される。また、防塵フィルタ２１３は、後述する圧電素子によって振動可能に構成されており、防塵フィルタ２１３が振動されることにより、防塵フィルタ２１３に付着した塵埃が払い落とされる。撮像素子２１２は光電変換面を形成する多数の光電変換素子（例えば、フォトダイオード）などから構成され、撮像素子２１２の光電変換面に入射した光束は電気信号に変換される。
【００２０】
また、回路基板２００ｂには、当該カメラ１の各種電気回路が実装されている。
【００２１】
図２は、図１に示すカメラ１の内部の電気回路構成について詳しく示すブロック図である。なお、図１で説明した構成については、図１と同じ参照符号を付している。
【００２２】
図１でも説明したように、カメラ１は、レンズ鏡筒１００と、カメラ本体２００とから構成されている。
【００２３】
レンズ鏡筒１００の各部の制御はレンズ制御用マイクロコンピュータ（以下、Ｌｕｃｏｍと称する）１０１によって行われる。一方、カメラ本体２００の各部の制御はボディ制御用マイクロコンピュータ（以下、Ｂｕｃｏｍと称する）２０１によって行われる。ここで、カメラ本体２００にレンズ鏡筒１００が装着された際には、通信コネクタ１０１ａを介してＬｕｃｏｍ１０１とＢｕｃｏｍ２０１とが通信可能に接続される。この場合、カメラシステムとして、Ｌｕｃｏｍ１０１がＢｕｃｏｍ２０１に従属するようにして稼動するようになっている。
【００２４】
また、上述したように、レンズ鏡筒１００の内部には、撮影光学系１０２が配設されている。ここで、図２においては、撮影光学系１０２を構成する複数の光学レンズを１つの光学レンズで代表して図示している。この撮影光学系１０２は、レンズ駆動機構１０３内に存在する図示しないＤＣモータにより、その光軸方向に駆動される。
【００２５】
また、撮影光学系１０２の後方には絞り１０４が設けられている。この絞り１０４は、絞り駆動機構１０５内に存在する図示しないステッピングモータによって開閉駆動される。絞り１０４の開閉が制御されることによって、撮影光学系１０２を介してカメラ本体２００に入射する被写体からの光束の光量が制御される。
【００２６】
ここで、レンズ駆動機構１０３内のＤＣモータの制御及び絞り駆動機構１０５内のステッピングモータの制御は、Ｂｕｃｏｍ２０１の指令を受けたＬｕｃｏｍ１０１によって行われる。
【００２７】
また、カメラ本体２００の内部には、メインミラー２０２ａ、フォーカシングスクリーン２０２ｂ、ペンタプリズム２０２ｃ、接眼レンズ２０２ｄから構成されるファインダ装置が設けられている。カメラ１が通常状態にある場合には、上述したように、撮影光学系１０２を介して入射した被写体からの光束の一部がメインミラー２０２ａで反射される。これによって、フォーカシングスクリーン２０２ｂ、ペンタプリズム２０２ｃ、及び接眼レンズ２０２ｄを介して観察用の像が形成される。
【００２８】
ここで、ペンタプリズム２０２ｃの近傍には測光回路２０４が設けられており、ペンタプリズム２０２ｃを通過した光束の一部が測光回路２０４内の図示しないホトセンサに入射するようになっている。測光回路２０４では、ホトセンサで検出された光束の光量に基づき周知の測光処理が行われる。測光回路２０４で処理された結果は、Ｂｕｃｏｍ２０１に送信される。Ｂｕｃｏｍ２０１では、測光回路２０４から入力された結果に基づいて撮影時の露光量が演算される。この結果は、Ｂｕｃｏｍ２０１からＬｕｃｏｍ１０１に送信される。Ｌｕｃｏｍ１０１では、Ｂｕｃｏｍ２０１から通知された露光量に基づいて絞り１０４の駆動制御が行われる。
【００２９】
また、メインミラー２０２ａを透過してサブミラー２０３で反射された光束は自動焦点調節処理（ＡＦ処理）を行うためのＡＦセンサユニット２０５に導かれる。ＡＦセンサユニット２０５の内部には、例えば位相差方式のＡＦを行うためのＡＦセンサが設けられている。このＡＦセンサに入射した光束は電気信号に変換される。ＡＦセンサユニット２０５のＡＦセンサからの出力は、ＡＦセンサ駆動回路２０６を介してＢｕｃｏｍ２０１へ送信される。そして、Ｂｕｃｏｍ２０１において測距処理が行われ、焦点調節に必要な撮影光学系１０２の駆動量が演算される。この結果は、Ｂｕｃｏｍ２０１からＬｕｃｏｍ１０１に送信される。Ｌｕｃｏｍ１０１では、Ｂｕｃｏｍ２０１から通知された駆動量に基づいて撮影光学系１０２の駆動制御が行われる。
【００３０】
また、カメラ１が撮影動作状態にあるときには、メインミラー２０２ａが撮影光学系１０２の光軸から退避する所定のアップ位置に移動される。このようなメインミラー２０２ａの駆動は、ミラー駆動機構２０７によって行われる。また、ミラー駆動機構２０７の制御は、Ｂｕｃｏｍ２０１によって行われる。ここで、メインミラー２０２ａがアップ位置に移動された場合には、それに伴ってサブミラー２０３が折り畳まれるようになっている。
【００３１】
メインミラー２０２ａがアップ位置に移動されることによって、撮影光学系１０２を透過した被写体からの光束はシャッタ部２０８の方向に入射する。フォーカルプレーン式のシャッタ部２０８を構成する先幕と後幕とを駆動するためのばね力は、シャッタチャージ機構２０９によってチャージされる。また、先幕と後幕の駆動は、シャッタ制御回路２１０によって行われる。これらシャッタチャージ機構２０９及びシャッタ制御回路２１０は、Ｂｕｃｏｍ２０１によって制御される。
【００３２】
シャッタ部２０８を通過した光束は、シャッタ部２０８の後方に配置された撮像ユニット２１１内部の撮像素子２１２に入射する。この撮像素子２１２は、撮像素子２１２と撮影光学系１０２との間に配設された防塵フィルタ２１３によって保護されている。防塵フィルタ２１３は、例えばガラス等の透明部材で構成されている。
【００３３】
また、防塵フィルタ２１３の周縁部には、該防塵フィルタ２１３を所定の振動周波数で振動させるための圧電素子２１４が取り付けられている。圧電素子２１４は、２つの電極を有しており、防塵フィルタ駆動回路２１５によって駆動される。また、防塵フィルタ２１の制御は、Ｂｕｃｏｍ２０１によって行われる。防塵フィルタ駆動回路２１５によって圧電素子２１４を振動させることによって、防塵フィルタ２１３が振動する。これによって、防塵フィルタ２１３の表面に付着した塵埃が払い落とされる。
【００３４】
ここで、撮像素子２１２と圧電素子２１４とは、防塵フィルタ２１３を一面とするケース内に一体的に収納されている。これにより、撮像素子２１２への塵埃の付着を確実に防止することができる。
【００３５】
また、撮像ユニット２１１の近傍には、温度測定回路２１６が設けられている。通常、温度はガラス製の物材の弾性係数に影響する。つまり、温度の変化は防塵フィルタ２１３の固有振動数を変化させる要因の１つとなるため、防塵フィルタ２１３を振動させる際には、常にその周辺温度が計測されるようにしている。なお、温度測定回路２１６の温度測定ポイントは防塵フィルタ２１３の振動面の極近傍に設定することが好ましい。このように、温度の変化を考慮しながら防塵フィルタ２１３の振動を制御することにより、常に最適な条件で防塵フィルタ２１３を振動させることが可能である。
【００３６】
撮像素子２１２で得られた電気信号（画像信号）は、所定タイミング毎に撮像インターフェイス回路２１７を介して読み出されてデジタル化される。撮像インターフェイス回路２１７でデジタル化されて得られた画像データは、画像処理コントローラ２１８を介してＳＤＲＡＭなどで構成されたバッファメモリ２１９に格納される。ここで、バッファメモリ２１９は、画像データなどのデータの一時保管用メモリであり、画像データに各種処理が施される際のワークエリアなどに利用される。
【００３７】
また、電子ビューファインダ（ＥＶＦ）表示が行われる時には、撮像インターフェイス回路２１７を介して読み出され、バッファメモリ２１９に格納された画像データが画像処理コントローラ２１８によって読み出される。画像処理コントローラ２１８によって読み出された画像データは、ＥＶＦ表示用のホワイトバランス補正などの画像処理が施された後、バッファメモリ２１９に格納される。その後、バッファメモリ２１９に格納された画像データは、フレーム単位で画像処理コントローラ２１８によって読み出されてビデオ信号に変換される。このビデオ信号は、表示用の所定のサイズにリサイズされた後、表示手段としての液晶モニタ２２２に表示される。なお、ＥＶＦ表示は、撮影動作前、即ちメインミラー２０２ａがアップ位置にある場合にのみ行われる。
【００３８】
また、撮影終了後には、撮像インターフェイス回路２１７を介して読み出され、バッファメモリ２１９に格納された画像データが画像処理コントローラ２１８によって読み出される。画像処理コントローラ２１８によって読み出された画像データは、ホワイトバランス補正や、階調補正、色補正などの周知の画像処理が施された後、バッファメモリ２１９に格納される。その後、バッファメモリ２１９に格納された画像データが画像処理コントローラ２１８によって読み出されてビデオ信号に変換され、表示用の所定のサイズにリサイズされた後、液晶モニタ２２２に出力表示される。ユーザは、液晶モニタ２２２に表示された画像により、撮影した画像を確認することができる。
【００３９】
また、画像記録時には、画像処理コントローラ２１８によって処理された画像データが、ＪＰＥＧ方式などの周知の圧縮方式によって圧縮される。ＪＰＥＧ圧縮によって得られたＪＰＥＧデータは、バッファメモリ２１９に格納された後、所定のヘッダ情報が付加されたＪＰＥＧファイルとしてＦｌａｓｈＲＯＭ２２０や記録メディア２２１に記録される。ここで、ＦｌａｓｈＲＯＭ２２０はカメラ１に内蔵のメモリを想定しており、記録メディア２２１はカメラ１の外部に装着されるものを想定している。記録メディア２２１としては、例えばカメラ１に着脱自在に構成されたメモリカードやハードディスクドライブなどが用いられる。
【００４０】
また、ＦｌａｓｈＲＯＭ２２０や記録メディア２２１に記録されたＪＰＥＧファイルから画像を再生する際には、ＦｌａｓｈＲＯＭ２２０や記録メディア２２１に記録されたＪＰＥＧデータが画像処理コントローラ２１８によって読み出されて伸長される。その後、この伸長データがビデオ信号に変換された後、表示用の所定のサイズにリサイズされ、液晶モニタ２２２に出力表示される。
【００４１】
また、Ｂｕｃｏｍ２０１には、カメラ制御に必要な所定の制御パラメータを記憶する不揮発性メモリ２２３がアクセス可能に接続されている。この不揮発性メモリ２２３は、例えば書き換え可能なＥＥＰＲＯＭで構成されている。
【００４２】
更に、Ｂｕｃｏｍ２０１には、電源回路２２４を介して電源としての電池２２５が接続されている。電源回路２２４では、電池２２５の電圧が、当該カメラシステムの各部が必要とする電圧に変換され、当該カメラシステムの各部に供給される。
【００４３】
更に、Ｂｕｃｏｍ２０１には、当該カメラ１の動作状態を表示出力によってユーザに告知するための動作表示用ＬＣＤ２２６と、当該カメラ１の各種操作部材の操作状態を検出するためのカメラ操作スイッチ（ＳＷ）２２７とが接続されている。
【００４４】
ここで、カメラ１の操作部材について説明する。図３〜図６は、カメラの操作部材について説明するためのカメラ１の外観図である。なお、図３はカメラ１の上面図を示し、図４はカメラ１の正面図を示し、図５はカメラ１の側面図を示し、図６はカメラ１の背面図を示す。
【００４５】
図３に示すように、カメラ１の上面には、パワースイッチレバー３０１と、レリーズボタン３０２と、モードダイヤル３０３と、サブダイヤル３０４と、ＩＳＯボタン３０５と、露出補正ボタン３０６と、ホワイトバランス（ＷＢ）ボタン３０７と、画質モードボタン３０８と、フラッシュモードボタン３０９と、ＬＩＧＨＴボタン３１０とが設けられている。
【００４６】
パワースイッチレバー３０１は、当該カメラ１の電源のオン／オフするための操作部材である。このパワースイッチレバー３０１が回動操作されることにより、当該カメラ１のメイン電源のオン／オフが切り換えられる。
【００４７】
レリーズボタン３０２は、撮影準備動作及び露光動作を実行させるためのボタンである。このレリーズボタンは、第１レリーズスイッチと第２レリーズスイッチの２段式のスイッチで構成されており、レリーズボタン３０２が半押し操作されることによって第１レリーズスイッチがＯＮされて測光処理や測距処理などの撮影準備動作が実行される。また、レリーズボタン３０２が全押し操作されることによって第２レリーズスイッチがＯＮされて露光動作が実行される。
【００４８】
モードダイヤル３０３は、撮影時の撮影モードを設定するための操作部材である。このモードダイヤル３０３が回転操作されることによって撮影時の撮影モードが設定される。図３の例では、例えばプログラムＡＥモード（Ｐ）、絞り優先ＡＥモード（Ａ）、シャッタ優先ＡＥモード（Ｓ）、マニュアルモード（Ｍ）、シーンモード（ＳＣＮ）の５つのモードが設定可能である。
【００４９】
プログラムＡＥモードは、カメラ１によって演算された露光条件（絞り値及びシャッタスピード）に従って露光動作が行われるモードである。絞り優先ＡＥモードは、ユーザによって設定された絞り値に応じてシャッタスピードが設定されて露光が行われるモードである。シャッタ優先ＡＥモードは、ユーザによって設定されたシャッタスピードに応じて絞り値が設定されて露光が行われるモードである。マニュアルモードは、ユーザによって設定された絞り値及びシャッタスピードで露光が行われるモードである。シーンモードは、種々の撮影シーンに適した条件で撮影が行われるモードである。なお、シーンモードにおいては、モードダイヤル３０３をＳＣＮに設定した状態で、所望のシーンをメニュー画面上で設定する必要がある。
【００５０】
サブダイヤル３０４は、他の操作部材が押された状態で操作される操作部材である。このサブダイヤル３０４が回転操作されることにより、現在ユーザによって押されている操作部材に係る機能の設定変更を行うことが可能である。ここで、サブダイヤル３０４を利用した設定が行われているときには、そのときのカメラ１の動作状態が動作表示用ＬＣＤ２２６に表示される。ユーザはこの表示を見ながら設定変更を行うことができる。
【００５１】
ＩＳＯボタン３０５は、露光動作時の撮像素子感度（フィルムのＩＳＯ感度に相当する）を設定するためのボタンである。このＩＳＯボタン３０５が押されている状態でダイヤル操作がなされることにより、露光動作時の撮像素子感度の設定変更がなされる。
【００５２】
露出補正ボタン３０６は、露光動作時の露光量を補正するための露出補正値を設定するためのボタンである。この露出補正ボタン３０６が押されている状態でダイヤル操作がなされることにより、露出補正値の値が設定変更される。露出補正値を設定することにより、例えばプログラムＡＥモードなどにおいてカメラ１により自動的に演算された露光量が適正でない場合などでも、これを補正して撮影を行うことができる。
【００５３】
ＷＢボタン３０７は、ホワイトバランスをどのように行うのかを設定するためのボタンである。このＷＢボタン３０７が押されている状態でダイヤル操作がなされることにより、ホワイトバランスの設定が、オートホワイトバランス又はプリセットホワイトバランスに変更される。
【００５４】
オートホワイトバランスでは、ホワイトバランス補正がカメラ１によって自動的に行われる。また、プリセット光源ホワイトバランスでは、晴天時の太陽光や、蛍光灯、電球などといった種々の光源に応じて予め設定された条件でホワイトバランス補正が行われる。
【００５５】
画質モードボタン３０８は、画像記録時の画質モード（画像サイズと圧縮率）を設定するためのボタンである。この画質モードボタン３０８が押されている状態でダイヤル操作がなされることにより画質モードが変更される。
【００５６】
フラッシュモードボタン３０９は、当該カメラ１に図示しない外部フラッシュ装置が装着されている場合に、外部フラッシュ装置の発光モードを設定するためのボタンである。このフラッシュモードボタン３０９が押されている状態でダイヤル操作がなされることにより、発光モードが、例えばオート発光モード、赤目軽減発光モード、スローシンクロモード、強制発光モードの順で変更される。
【００５７】
オート発光モードは、外部フラッシュ装置の発光量などの条件がカメラ１によって自動的に設定されるモードである。赤目軽減発光モードは、撮影に先立って赤目軽減用のプリ発光がなされるモードである。スローシンクロモードは、低速シャッタを併用してフラッシュ発光が行われるモードであり、夜景撮影などに有効なモードである。強制発光モードは、撮影時の条件によらずにフラッシュを発光させるモードである。
【００５８】
ＬＩＧＨＴボタン３１０は、動作表示用ＬＣＤ２２６のバックライトを点灯又は消灯するためのボタンである。
【００５９】
また、図４に示すように、カメラ１の正面には、ワンタッチホワイトバランス（ＷＢ）ボタン３１１が設けられている。このワンタッチＷＢボタン３１１は、オートホワイトバランスやプリセットホワイトバランスで対応できないホワイトバランス条件を登録するためのボタンである。
【００６０】
また、図５に示すように、カメラ１の側面には、オートブラケット（ＢＫＴ）ボタン３１２と、測光モードボタン３１３と、ＤＲＩＶＥモードボタン３１４と、フォーカスモードレバー３１５とが設けられている。
【００６１】
ＢＫＴボタン３１２は、ブラケット撮影時の撮影枚数や露出補正量、ホワイトバランスゲインを設定するためのボタンである。ブラケット撮影では、露光量やホワイトバランスゲインが異なる複数枚の画像が撮影される。ＢＫＴボタン３１２が押されている状態でダイヤル操作がなされることにより、撮影枚数や露出補正量、ホワイトバランスゲインが変更される。
【００６２】
測光モードボタン３１３は、測光処理時の測光モードを設定するためのボタンである。この測光モードボタン３１３が押されている状態でダイヤル操作がなされることにより、測光モードが、例えばスポット測光モード、中央部重点平均測光モード、評価測光モードの順で変更される。
【００６３】
スポット測光モードは、画面内の極狭い範囲内の光量に基づいて測光処理が行われるモードである。また、中央部重点平均測光モードは、画面内の中央部について重点的に測光処理が行われるモードである。更に、評価測光モードは、画面内が複数の領域に分割されて測光処理され、分割領域毎に得られた結果が評価されることにより最終的な測光結果が得られるモードである。
【００６４】
ＤＲＩＶＥモードボタン３１４は、カメラ１の動作モードを設定するためのボタンである。このＤＲＩＶＥモードボタン３１４が押されている状態でダイヤル操作がなされることにより、動作モードが、例えば単写モード、連写（連続撮影）モード、セルフモード、リモコンモードの順で変更される。
【００６５】
単写モードは、ユーザによるレリーズボタン３０２の全押操作に応答して１フレームの画像の撮影が行われるモードである。また、連写モードは、ユーザがレリーズボタン３０２を全押操作している間、撮影動作が繰り返され、これによって複数フレームの画像の撮影が行われるモードである。セルフモードは、レリーズボタン３０２の全押操作後、所定時間後に露光動作が行われる、所謂セルフタイマ撮影が行われるモードである。また、リモコンモードは、カメラ１を図示しないリモートコントローラによって操作可能にするためのモードである。
【００６６】
フォーカスモードレバー３１５は、撮影時のＡＦモードを設定するための操作部材である。このフォーカスモードレバー３１５が切り替えられることにより、ＡＦモードが、例えばシングルＡＦモード、コンティニュアスＡＦモード、パワーフォーカス（ＰＦ）モードの順で変更される。
【００６７】
シングルＡＦモードは、一旦、撮影光学系１０２の焦点制御が行われた後は、レリーズボタン３０２の半押しが解除されるまで撮影光学系１０２の焦点状態が固定されるモードである。コンティニュアスＡＦモードは、被写体の動きに追従して撮影光学系１０２の焦点制御が行われるモードである。ＰＦモードは、ユーザが手動で撮影光学系１０２の焦点調節を行うことができるモードである。
【００６８】
また、図６に示すように、カメラ１の背面には、メインダイヤル３１６と、ＡＦフレームボタン３１７と、ＡＥロックボタン３１８と、再生モードボタン３１９と、消去ボタン３２０と、プロテクトボタン３２１と、情報表示ボタン３２２と、メニューボタン３２３と、十字ボタン３２４と、ＯＫボタン３２５とが設けられている。
【００６９】
メインダイヤル３１６は、サブダイヤル３０４と同一の機能を有する操作部材であり、このメインダイヤル３１６が回転操作されることにより、現在ユーザによって押されている操作部材に係る機能の設定変更を行うことが可能である。
【００７０】
ＡＦフレームボタン３１７は、撮影時のＡＦ方式を選択するためのボタンである。このＡＦフレームボタン３１７が押されている状態でダイヤル操作がなされることにより、ＡＦ方式が、例えばマルチＡＦ又はスポットＡＦに変更される。
【００７１】
マルチＡＦでは、画面内の複数測距点の焦点状態が検出される。一方、スポットＡＦでは、画面内の一点（複数候補の中から選択できる）の焦点状態が検出される。
【００７２】
ＡＥロックボタン３１８は、露光条件を固定するためのボタンである。このＡＥロックボタン３１８が押されている間は、そのとき演算されている露光量が固定される。
【００７３】
再生モードボタン３１９は、カメラ１の動作モードを、ＦｌａｓｈＲＯＭ２２０や記録メディア２２１に記録されたＪＰＥＧファイルから画像を再生できる再生モードに切り替えるためのボタンである。
【００７４】
消去ボタン３２０は、再生モード中において画像データ（ＪＰＥＧファイル）をＦｌａｓｈＲＯＭ２２０や記録メディア２２１から消去するためのボタンである。
【００７５】
プロテクトボタン３２１は、再生モード中において、誤って画像データが消去されないように、画像データにプロテクトをかけるためのボタンである。
【００７６】
情報表示ボタン３２２は、画像データの付加情報（例えば、Ｅｘｉｆ情報）に基づく画像情報を表示させるためのボタンである。
【００７７】
メニューボタン３２３は、液晶モニタ２２２にメニュー画面を表示させるためのボタンである。このメニュー画面は、複数の階層構造からなるメニュー項目によって構成されている。ユーザは、所望のメニュー項目を十字ボタン３２４で選択することができ、ＯＫボタン３２５で選択した項目を決定することができる。ここで、メニュー項目としては、例えばＦｌａｓｈＲＯＭ２２０や記録メディア２２１のセットアップ、画像データの画質、画像処理、シーンモードなどの設定を行うことができる撮影メニュー、画像再生時の再生条件及び画像プリント時の設定などを行うことができる再生メニュー、撮影者の好みに応じた種々の細かい設定を行うことができるカスタムメニュー、及び警告音の種類などのカメラの動作状態を設定するセットアップメニューなどがある。
【００７８】
例えば、シーンモードの設定時には、モードダイヤル３０３がシーンモード（ＳＣＮ）に設定されている状態で、メニュー画面上で所望のシーンを選択することができる。このシーンの例としては、ポートレート、スポーツ、記念撮影、風景、夜景などがある。これら選択されたシーンに応じて露光条件、フラッシュ発光の条件、測光モード、ＡＦ方式、連写間隔などの撮影時の撮影条件が設定される。
【００７９】
次に、以上説明したような構成を有するカメラ１の撮影時の動作について図７を参照して説明する。図７は、カメラ１の撮影時の動作について示すフローチャートである。なお、この図７のフローチャートの処理は、ユーザによってレリーズボタン３０２が半押しされた時点で開始される。
【００８０】
ユーザによってレリーズボタン３０２が半押しされると、第１レリーズスイッチがＯＮされる。これに応じて、測光回路２０４において測光処理が行われる。この結果は、Ｂｕｃｏｍ２０１に送信され、Ｂｕｃｏｍ２０１において露光量が演算される（ステップＳ１）。次に、ＡＦセンサユニット２０５において検出された信号がＡＦセンサ駆動回路２０６を介してＢｕｃｏｍ２０１へ送信される。これに応じて、Ｂｕｃｏｍ２０１において測距処理が行われ、焦点調節に必要な撮影光学系１０２の駆動量が演算される。そして、ここで演算された駆動量に基づいて撮影光学系１０２の駆動が行われる（ステップＳ２）。
【００８１】
その後、ユーザによって第２レリーズスイッチがＯＮされたか否か、即ちレリーズボタン３０２が全押しされたか否かが判定される（ステップＳ３）。ステップＳ３において、第２レリーズスイッチがＯＮされていない場合には、ステップＳ３からステップＳ１９に分岐して、第１レリーズスイッチがＯＮのままであるか否かが判定される（ステップＳ１９）。ステップＳ１９の判定において、第１レリーズスイッチがＯＮのままである場合には、ステップＳ１９からステップＳ３に戻る。一方、ステップＳ１９の判定において、第１レリーズスイッチがＯＦＦされた場合には、図７の処理が終了され、図示しないカメラ１のメインの処理に復帰する。
【００８２】
また、ステップＳ３の判定において、第２レリーズスイッチがＯＮされた場合には、ステップＳ３からステップＳ４に分岐して、メインミラー２０２ａがアップ位置に移動される（ステップＳ４）。次に、カメラ１の動作モードが連写モードであるか否かが判定される（ステップＳ５）。
【００８３】
ステップＳ５の判定において、カメラ１の動作モードが連写モードである場合には、ステップＳ５をステップＳ６に分岐して、連写モードの処理が開始される。まず、ステップＳ１で演算された露光量に基づいて絞り１０４の絞り込みが行われる（ステップＳ６）。次に、撮像素子２１２の撮像動作が開始される（ステップＳ７）。その後、ステップＳ１で演算された露光量に基づいてシャッタ部２０８の開閉駆動が行われる（ステップＳ８）。シャッタ部２０８が閉じられた後、撮像素子２１２の撮像動作が停止される（ステップＳ９）。
【００８４】
次に、撮像素子２１２で得られた画像信号に基づいてＥＶＦ表示が開始される（ステップＳ１０）。ここで、メインミラー２０２ａがアップ位置に移動されている間は、ファインダ装置による被写体観察を行うことができない。連写モードの場合には、メインミラー２０２ａがアップ位置に移動されている状態で複数回の撮影が行われるため、連写の間にも被写体観察を行うことができるように、このようなＥＶＦ表示が行われるようになっている。
【００８５】
その後、撮像素子２１２で得られた画像信号に基づく画像データがバッファメモリ２１９に格納される（ステップＳ１１）。なお、バッファメモリ２１９は、高速連写によって撮影される多数の画像データを一時格納するのに十分な容量を有しているものである。
【００８６】
次に、ユーザによって第２レリーズスイッチがＯＦＦされたか否かが判定される（ステップＳ１２）。ステップＳ１１の判定において、第２レリーズスイッチがＯＮのままである場合には、ステップＳ１２をステップＳ７に分岐して、次の画像の撮影が実行される。一方、ステップＳ１１の判定において、第２レリーズスイッチがＯＦＦされた場合には、ステップＳ１２をステップＳ１３に分岐して、連写撮影が終了される。まず、ＥＶＦ表示が終了される（ステップＳ１３）。次に、絞り１０４が開放され（ステップＳ１４）、メインミラー２０２ａがダウン位置に移動される（ステップＳ１５）。その後、バッファメモリ２１９に格納された画像データが、例えばＪＰＥＧ形式でＦｌａｓｈＲＯＭ２２０や記録メディア２２１に記録される（ステップＳ１６）。その後、図７の処理が終了され、カメラ１のメインの処理に復帰する。
【００８７】
また、ステップＳ５の判定において、カメラ１の動作モードが単写モードである場合には、ステップＳ５をステップＳ２１に分岐して、単写モードの処理が開始される。まず、ステップＳ１で演算された露光量に基づいて絞り１０４の絞り込みが行われる（ステップＳ２１）。次に、撮像素子２１２の撮像動作が開始される（ステップＳ２２）。その後、ステップＳ１で演算された露光量に基づいてシャッタ部２０８の開閉駆動が行われる（ステップＳ２３）。シャッタ部２０８が閉じられた後、撮像素子２１２の撮像動作が停止される（ステップＳ２４）。撮像素子２１２の撮像動作が停止された後、画像データが、例えばＪＰＥＧ形式でＦｌａｓｈＲＯＭ２２０や記録メディア２２１に記録される（ステップＳ２５）。
【００８８】
次に、絞り１０４が開放され（ステップＳ２６）、メインミラー２０２ａがダウン位置に移動される（ステップＳ２７）。その後、ユーザによって第１レリーズスイッチがＯＦＦされたか否かが判定される（ステップＳ２８）。このステップＳ２８の判定は、第１レリーズスイッチがＯＦＦされるまで繰り返される。
【００８９】
ステップＳ２８の判定において、第１レリーズスイッチがＯＦＦされた場合には、図７の処理が終了され、カメラ１のメインの処理に復帰する。
【００９０】
図８は、連写モードによってＦｌａｓｈＲＯＭ２２０や記録メディア２２１に記録された画像データが再生される際の処理について示すフローチャートである。なお、図８の処理は、表示制御手段を構成するＢｕｃｏｍ２０１と画像処理コントローラ２１８とによって行われる。
【００９１】
ユーザによって、再生モードボタン３１９が押され、カメラ１の動作モードが再生モードに切り替えられると、図８の処理が開始される。まずＦｌａｓｈＲＯＭ２２０又は記録メディア２２１に記録されている複数の画像データの中で、最新の画像が液晶モニタ２２２に表示される（ステップＳ１０１）。ここで、最新の画像とは最後に撮影された画像データのことである。ただし、その画像が連写撮影によって得られた一連の画像の中の最後の画像の場合には、連写撮影の最初の画像が最新の画像として表示される。
【００９２】
最新の画像が液晶モニタ２２２に表示された後、この表示されている画像データが参照画像に設定される（ステップＳ１０２）。この参照画像は、後述する画像検索処理において画像比較の基準となる画像データのことである。
【００９３】
続いて、十字ボタン３２４の右側が押されたか否かが判定される（ステップＳ１０３）。ステップＳ１０３の判定において、十字ボタン３２４の右側が押された場合には、ステップＳ１０３をステップＳ１１１に分岐して、現在、液晶モニタ２２２に表示されている画像の１つ前の画像が表示される（ステップＳ１１１）。なお、現在、液晶モニタ２２２に表示されている画像が、最初に撮影された画像である場合には、最後に撮影された画像が表示される。１つ前の画像が表示された後、ステップＳ１０７に進む。
【００９４】
一方、ステップＳ１０３の判定において、十字ボタン３２４の右側が押されていない場合には、ステップＳ１０３をステップＳ１０４に分岐して、十字ボタン３２４の左側が押されたか否かが判定される（ステップＳ１０４）。ステップＳ１０４の判定において、十字ボタン３２４の左側が押された場合には、ステップＳ１０４をステップＳ１２１に分岐して、現在、液晶モニタ２２２に表示されている画像の１つ後の画像が表示される（ステップＳ１２１）。なお、現在、液晶モニタ２２２に表示されている画像が、最後に撮影された画像である場合には、最初に撮影された画像が表示される。１つ後の画像が表示された後、ステップＳ１０７に進む。
【００９５】
一方、ステップＳ１０４の判定において、十字ボタン３２４の左側が押されていない場合には、ステップＳ１０４をステップＳ１０５に分岐して、十字ボタン３２４の上側が押されたか否かが判定される（ステップＳ１０５）。ステップＳ１０５の判定において、十字ボタン３２４の上側が押された場合には、ステップＳ１０５をステップＳ１３１に分岐して画像検索１の処理が行われる（ステップＳ１３１）。この画像検索１の処理については後述する。画像検索１の処理の終了後、画像検索１の処理によって検索された画像が液晶モニタ２２２に表示される（ステップＳ１３２）。画像が表示された後、ステップＳ１０７に進む。
【００９６】
一方、ステップＳ１０５の判定において、十字ボタン３２４の上側が押されていない場合には、ステップＳ１０５をステップＳ１０６に分岐して、十字ボタン３２４の下側が押されたか否かが判定される（ステップＳ１０６）。ステップＳ１０６の判定において、十字ボタン３２４の下側が押された場合には、ステップＳ１０６をステップＳ１４１に分岐して画像検索２の処理が行われる（ステップＳ１４１）。この画像検索２の処理については後述する。画像検索２の処理の終了後、画像検索２の処理によって検索された画像が液晶モニタ２２２に表示される（ステップＳ１４２）。画像が表示された後、ステップＳ１０７に進む。
【００９７】
以上の処理の後、再生モードボタン３１９又はレリーズボタン３０２が押されたか否かが判定される（ステップＳ１０７）。ステップＳ１０７の判定において、再生モードボタン３１９及びレリーズボタン３０２の何れも押されていない場合には、ステップＳ１０７をステップＳ１０２に分岐して、液晶モニタ２２２に現在表示されている画像が次の参照画像に設定される。一方、ステップＳ１０７の判定において、再生モードボタン３１９又はレリーズボタン３０２が押された場合には、図８の処理が終了され、カメラ１のメインの処理に復帰する。
【００９８】
図９は、図８のステップＳ１３１の画像検索１の処理について示すフローチャートである。
【００９９】
画像検索１の処理においては、まず、液晶モニタ２２２に表示されている１つ前の画像データが、読出手段としての画像処理コントローラ２１８を介して読み出される（ステップＳ２０１）。なお、現在、液晶モニタ２２２に表示されている画像が最初に撮影された画像である場合には、最後に撮影された画像データが読み出される。
【０１００】
次に、現在液晶モニタ２２２に表示されている画像データ（即ち、参照画像）が、ステップＳ２０１で新たに読み出された画像データ（以下、比較画像と称する）と比較され、参照画像と比較画像との一致度が比較される（ステップＳ２０２）。この参照画像との比較処理については後述する。
【０１０１】
次に、参照画像との比較処理の結果、参照画像と比較画像の一致度が高いか否かが判定される（ステップＳ２０３）。ステップＳ２０３の判定において、一致度が高い場合には、ステップＳ２０３をステップＳ２０１に分岐して、更に１つ前の画像データが読み出される。
【０１０２】
一方、ステップＳ２０３の判定において、一致度が低い場合には、ステップＳ２０３をステップＳ２０４に分岐して、ステップＳ２０１で読み出された画像が、次に液晶モニタ２２２に表示される画像に選定される（ステップＳ２０４）。
【０１０３】
図１０は、図８のステップＳ１４１の画像検索２の処理について示すフローチャートである。
【０１０４】
画像検索２の処理においては、まず、液晶モニタ２２２に表示されている１つ後の画像データがＦｌａｓｈＲＯＭ２２０や記録メディア２２１から画像処理コントローラ２１８を介して読み出される（ステップＳ２１１）。なお、現在、液晶モニタ２２２に表示されている画像が最後に撮影された画像である場合には、最初に撮影された画像データが読み出される。
【０１０５】
次に、現在液晶モニタ２２２に表示されている参照画像が比較画像と比較され、参照画像と比較画像との一致度が判定される（ステップＳ２１２）。この参照画像との比較処理については後述する。
【０１０６】
次に、参照画像との比較処理の結果、参照画像と比較画像の一致度が高いか否かが判定される（ステップＳ２１３）。ステップＳ２１３の判定において、一致度が高い場合には、ステップＳ２１３をステップＳ２１１に分岐して、更に１つ後の画像データが読み出される。
【０１０７】
一方、ステップＳ２１３の判定において、一致度が低い場合には、ステップＳ２１３をステップＳ２１４に分岐して、ステップＳ２１１で読み出された画像が、次に液晶モニタ２２２に表示される画像に選定される（ステップＳ２１４）。
【０１０８】
図１１は、図９及び図１０の参照画像との比較処理について示すフローチャートである。
【０１０９】
参照画像との比較処理においては、まず参照画像の中央部周辺領域の画像データが抽出される（ステップＳ３０１）。例えば、図１２の画像データ４０１が参照画像に設定されている場合には、その中央部周辺領域の画像データ４０１ａが抽出される。
【０１１０】
次に、比較画像の中央部周辺領域の画像データが抽出される（ステップＳ３０２）。例えば、図１２の画像データ４０２が比較画像として読み出された場合には、その中央領域部周辺の画像データ４０２ａが抽出される。
【０１１１】
次に、参照画像の中央部周辺領域と比較画像の中央部周辺領域の色情報が破棄される（ステップＳ３０３）。そして、参照画像の中央部周辺領域と比較画像の中央部周辺領域の画素毎の差（輝度差）が演算される（ステップＳ３０４）。次に、各画素の輝度差に応じて各画素が２階調化された輝度画像が生成される（ステップＳ３０５）。ここでは、差が０の画素が黒（階調０）に、差が０でない画素が白（階調最大）に変換される。例えば、参照画像データ４０１ａと比較画像データ４０２ａが比較された場合には、両画像には差がないので、全画素が階調０の輝度画像データ４１２ａが得られる。
【０１１２】
次に、階調が０でない画素（不一致画素）の数がカウントされる（ステップＳ３０６）。そして、中央領域内の全画素に対する階調が０でない画素の割合が算出される（ステップＳ３０７）。次に、階調が０でない画素の割合が所定量ｍ（例えば、４０％程度）以上であるか否かが判定される（ステップＳ３０８）。
【０１１３】
ステップＳ３０８の判定において、階調が０でない画素の割合が所定量ｍ未満である場合には、参照画像と比較画像の一致度が高いと判定される（ステップＳ３０９）。一方、階調が０でない画素の割合が所定量ｍ以上である場合には、参照画像と比較画像の一致度が低いと判定される（ステップＳ３１０）。
【０１１４】
例えば、参照画像データ４０１ａと比較画像データ４０２ａとが比較され、輝度画像データ４１２ａが得られた場合、輝度画像データ４１２ａは階調が０でない画素が少ないので、参照画像データ４０１ａと比較画像データ４０２ａの一致度は高いと判定される。したがって、画像４０２は、図９や図１０の処理において液晶モニタ２２２に次に表示される画像には選定されない。そして、次の比較画像４０３と参照画像４０１との間で、図１１で説明した比較が行われる。この場合には、輝度画像データ４１３ａが得られるが、輝度画像データ４１３ａも階調が０でない画素が少ないので、参照画像データ４０１ａと比較画像データ４０３ａの一致度は高いと判定され、更に次の画像４０４との比較が行われる。この場合には、輝度画像データ４１４ａが得られる。輝度画像データ４１４ａは階調が０でない画素が多いので、参照画像データ４０１ａと比較画像データ４０４ａの一致度は低いと判定される。これにより画像４０４は、図９や図１０の処理において液晶モニタ２２２に次に表示される画像に選定される。
【０１１５】
即ち、図１２の例では、ユーザによって、再生モードボタン３１９が押されることにより、まず最新の画像（その画像が連写撮影の最後の画像である場合には連写撮影の最初の画像）である画像４０１が図１３に示すようにして表示される。その後、ユーザによって十字ボタン３２４の下側（若しくは上側）が押された場合には、画像４０２及び画像４０３は画像４０１との一致度が高いために液晶モニタ２２２に表示されずにスキップされ、画像４０１との一致度が低い画像４０４が次に液晶モニタ２２２に表示される。同時に、画像４０４が参照画像に設定され、以後は画像４０４を基準にして比較が行われる。
【０１１６】
以上説明したように、本一実施形態によれば、連写によって得られた複数の画像を液晶モニタ２２２上に表示させる際に、十字ボタン３２４の右側若しくは左側のボタンが操作された場合は、単写、連写にかかわらず、順番に１枚ずつ表示される。一方、十字ボタン３２４の上側若しくは下側が操作された場合は、液晶モニタ２２２に表示されている画像と大きく異なる画像のみが表示される。これにより、連写によって大量の画像が撮影されていても、画像の確認を効率良く行うことができ、ベストショットを簡単に探すことができる。
【０１１７】
なお、どの程度まで類似していない画像を表示させるのかは、図１１のステップＳ３０８における所定量ｍで決定される。このｍをユーザが設定できるようにしても良い。
【０１１８】
また、図１１の例では、参照画像と比較画像とを比較する際には、中央部周辺領域のみを抽出して比較するようにしているが、全画素で比較するようにしても良いことは言うまでもない。また、抽出する領域も中央部周辺領域に限るものではない。この比較は、被写体の存在確率が高い領域で行われれば良いので、中央部周辺領域の他に、例えばＡＦ時に合焦された測距点を含む領域を抽出するようにしても良い。また、抽出する領域をユーザが選択できるようにしても良い。
【０１１９】
以上実施形態に基づいて本発明を説明したが、本発明は上記した実施形態に限定されるものではなく、本発明の要旨の範囲内で種々の変形や応用が可能なことは勿論である。
【０１２０】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１２１】
【図１】本発明の一実施形態に係る画像表示装置が内蔵されたデジタルカメラの構成を示すために、デジタルカメラ本体の一部を切断してその内部構成を概略的に示した斜視図である。
【図２】デジタルカメラの内部の電気回路構成について詳しく示すブロック図である。
【図３】デジタルカメラの外観上面図である。
【図４】デジタルカメラの外観正面図である。
【図５】デジタルカメラの外観側面図である。
【図６】デジタルカメラの外観背面図である。
【図７】デジタルカメラの撮影時の動作について示すフローチャートである。
【図８】連写モードで撮影された画像データが再生される際の処理について示すフローチャートである。
【図９】画像検索１の処理について示すフローチャートである。
【図１０】画像検索２の処理について示すフローチャートである。
【図１１】参照画像との比較処理について示すフローチャートである。
【図１２】参照画像との比較処理の具体例について説明するための図である。
【図１３】画像再生時の具体例について説明するための図である。
【符号の説明】
【０１２２】
１…デジタルカメラ（カメラ）、１００…レンズ鏡筒、１０１…レンズ制御用マイクロコンピュータ（Ｌｕｃｏｍ）、１０１ａ…通信コネクタ、１０２…撮影光学系、１０３…レンズ駆動機構、１０４…絞り、１０５…絞り駆動機構、２００…カメラ本体、２００ａ…撮影光学系装着部、２００ｂ…回路基板、２０１…ボディ制御用マイクロコンピュータ（Ｂｕｃｏｍ）、２０２ａ…クイックリターンミラー（メインミラー）、２０２ｂ…フォーカシングスクリーン、２０２ｃ…ペンタプリズム、２０２ｄ…接眼レンズ、２０３…サブミラー、２０４…測光回路、２０５…ＡＦセンサユニット、２０６…ＡＦセンサ駆動回路、２０７…ミラー駆動機構、２０８…シャッタ部、２０９…シャッタチャージ機構、２１０…シャッタ制御回路、２１１…撮像ユニット、２１２…撮像素子、２１３…防塵フィルタ、２１４…圧電素子、２１５…防塵フィルタ駆動回路、２１６…温度測定回路、２１７…撮像インターフェイス回路、２１８…画像処理コントローラ、２１９…バッファメモリ（ＳＤＲＡＭ）、２２０…ＦｌａｓｈＲＯＭ、２２１…記録メディア、２２２…液晶モニタ、２２３…不揮発性メモリ（ＥＥＰＲＯＭ）、２２４…電源回路、２２５…電池、２２６…動作表示用ＬＣＤ、２２７…カメラ操作スイッチ（ＳＷ）
【図１】
2006217510.tif 000003
【図２】
2006217510.tif 000004
【図３】
2006217510.tif 000005
【図４】
2006217510.tif 000006
【図５】
2006217510.tif 000007
【図６】
2006217510.tif 000008
【図７】
2006217510.tif 000009
【図８】
2006217510.tif 000010
【図９】
2006217510.tif 000011
【図１０】
2006217510.tif 000012
【図１１】
2006217510.tif 000013
【図１２】
2006217510.tif 000014
【図１３】
2006217510.tif 000015